(57)【要約】    【課題】導光板の寸法が夫々異なっている両面発光装置を、生産性良く得るために、使用できる、モジュールを、提供すること。    【解決手段】導光板２の端縁部２１に着脱自在に取り付けられるようになっており、端縁部２１の端面２Ａに光を入射させる光源３４２を有しており、ベース面部３１と、第１支持面部３２及び第２支持面部３３と、基板３４１の表面３４１１に複数個の光源３４２が並設された光源部３４と、導光板２を第１支持面部３２及び第２支持面部３３に固定する固定機構３５と、を有しており、固定機構３５は、第１支持面部３２と第２支持面部３３との間に位置した導光板２の端縁部２１を、第１支持面部３２及び第２支持面部３３に着脱自在に固定するように、設けられており、光源部３４の、基板３４の表面３４１１及び光源３４２の表面が、透明フッ素系樹脂によってコーティングされている。【選択図】図６
2015109141.tif 000002
【特許請求の範囲】
【請求項１】
平面視矩形の導光板の一端縁部に着脱自在に取り付けられるようになっており、前記端縁部の端面に光を入射させる光源を有している、両面発光装置用モジュールであって、
ベース面部と、第１支持面部及び第２支持面部と、基板の表面に複数個の前記光源が並設された光源部と、前記導光板を前記第１支持面部及び前記第２支持面部に固定する固定機構と、を有しており、
前記第１支持面部及び前記第２支持面部は、前記導光板の前記端縁部を両面側から挟むことができるように、対向して設けられており、
前記ベース面部は、前記導光板の前記端縁部が前記第１支持面部と前記第２支持面部との間で固定された時に、前記端縁部の前記端面に対向するように、設けられており、
前記光源部は、前記導光板の前記端縁部が前記第１支持面部と前記第２支持面部との間で固定された時に、前記光源からの光が前記端縁部の前記端面に入射できるように、前記ベース面部に取り付けられており、
前記固定機構は、前記第１支持面部と前記第２支持面部との間に位置した前記導光板の前記端縁部を、前記第１支持面部及び前記第２支持面部に着脱自在に固定するように、設けられており、
前記光源部の、前記基板の表面及び前記光源の表面が、透明フッ素系樹脂によってコーティングされている、
ことを特徴とする両面発光装置用モジュール。
【請求項２】
前記固定機構が、前記第１支持面部と、前記導光板の前記端縁部と、前記第２支持面部と、を貫通するビスで、構成されている、
請求項１記載の両面発光装置用モジュール。
【請求項３】
前記固定機構が、前記第１支持面部と前記第２支持面部とを前記導光板の前記端縁部に接合する接着剤で、構成されている、
請求項１記載の両面発光装置用モジュール。
【請求項４】
前記固定機構が、前記第１支持面部又は前記第２支持面部を前記導光板の前記端縁部に押し付けるネジ部材で、構成されている、
請求項１記載の両面発光装置用モジュール。
【請求項５】
請求項１〜４のいずれか１つに記載の両面発光装置用モジュールと、前記導光板と、を備えており、
前記導光板の前記端縁部が、前記第１支持面部と前記第２支持面部との間に位置して、前記固定機構によって前記第１支持面部及び前記第２支持面部に着脱自在に固定されており、
前記光源部の前記光源からの光が、前記端縁部の前記端面に入射できるようになっている、
ことを特徴とする両面発光装置。
【発明の詳細な説明】
【技術分野】
【０００１】
本発明は、導光板に取り付けるだけで両面発光装置を構成できるモジュール、及び、該モジュールを用いた両面発光装置に、関する。
【背景技術】
【０００２】
従来一般の両面発光装置は、複数の光源と、光源から入射して来た光を面発光させるための導光板と、光源及び導光板を囲んで支持するハウジング体と、を少なくとも備えている。
【先行技術文献】
【特許文献】
【０００３】
【特許文献１】特開２０１０−１７７０７７号公報
【特許文献２】特開平６−１８６４３３号公報
【特許文献３】特開２００６−１８５７２４号公報
【発明の概要】
【発明が解決しようとする課題】
【０００４】
従来一般の両面発光装置は、光源と導光板とハウジング体とを一体化して、構成されている。このような構成の装置においては、１つの装置に使用される導光板は、１つの所定寸法のものである。それ故、前記所定寸法とは異なる寸法の導光板を用いた両面発光装置を得るためには、新たに装置全体を製作する必要がある。したがって、導光板の寸法が夫々異なっている両面発光装置を得ようとすると、生産性が悪く、高コストとなっていた。
【０００５】
本発明は、導光板の寸法が夫々異なっている両面発光装置を、生産性良くすなわち低コストで得るために、使用できる、モジュールを、提供すること、及び、該モジュールを用いた両面発光装置を、提供すること、を目的としている。
【課題を解決するための手段】
【０００６】
本願の第１発明の両面発光装置用モジュールは、平面視矩形の導光板の一端縁部に着脱自在に取り付けられるようになっており、前記端縁部の端面に光を入射させる光源を有している、両面発光装置用モジュールであって、ベース面部と、第１支持面部及び第２支持面部と、基板の表面に複数個の前記光源が並設された光源部と、前記導光板を前記第１支持面部及び前記第２支持面部に固定する固定機構と、を有しており、前記第１支持面部及び前記第２支持面部は、前記導光板の前記端縁部を両面側から挟むことができるように、対向して設けられており、前記ベース面部は、前記導光板の前記端縁部が前記第１支持面部と前記第２支持面部との間で固定された時に、前記端縁部の前記端面に対向するように、設けられており、前記光源部は、前記導光板の前記端縁部が前記第１支持面部と前記第２支持面部との間で固定された時に、前記光源からの光が前記端縁部の前記端面に入射できるように、前記ベース面部に取り付けられており、前記固定機構は、前記第１支持面部と前記第２支持面部との間に位置した前記導光板の前記端縁部を、前記第１支持面部及び前記第２支持面部に着脱自在に固定するように、設けられており、前記光源部の、前記基板の表面及び前記光源の表面が、透明フッ素系樹脂によってコーティングされている、ことを特徴としている。
【０００７】
本願の第２発明の両面発光装置は、前記第１発明の両面発光装置用モジュールと、前記導光板と、を備えており、前記導光板の前記端縁部が、前記第１支持面部と前記第２支持面部との間に位置して、前記固定機構によって前記第１支持面部及び前記第２支持面部に着脱自在に固定されており、前記光源部の前記光源からの光が、前記端縁部の前記端面に入射できるようになっている、ことを特徴としている。
【発明の効果】
【０００８】
前記第１発明によれば、モジュールを導光板の一端縁部に取り付けて固定するだけで、両面発光装置を構成できるので、両面発光装置の生産性を向上できる。しかも、長さ寸法が異なる複数種のモジュールを予め製作しておくことにより、種々の大きさの導光板を容易に用いて両面発光装置を製作できる。
【０００９】
前記第２発明によれば、導光板とモジュールとで構成されているので、構成が簡素であり、それ故、取り扱い性に優れている。しかも、種々の大きさを実現できるので、種々の場所に使用できる。
【図面の簡単な説明】
【００１０】
【図１】本発明の一実施形態による両面発光装置の斜視図である。
【図２】図１の装置の分解斜視図である。
【図３】図１のIII矢視図である。
【図４】図１の装置の側面図である。
【図５】図４のＶ矢視拡大部分図である。
【図６】図４のＡ部の一部断面拡大図である。
【図７】本発明のモジュールの斜視図である。
【図８】図７のモジュールの正面図である。
【図９】図７のモジュールの側面図である。
【図１０】モジュールの使用例を示す平面模式図である。
【図１１】固定機構の変形例の一例を示す、図６に相当する図である。
【図１２】固定機構の変形例の別の例を示す、図６に相当する図である。
【発明を実施するための形態】
【００１１】
図１は、本発明の一実施形態による両面発光装置の斜視図である。この両面発光装置１は、導光板２と、本発明の一実施形態による両面発光装置用モジュール３と、からなっている。図２は、装置１の分解斜視図である。図３は、図１のIII矢視図である。図４は、装置１の側面図である。図５は、図４のＶ矢視拡大部分図である。図６は、図４のＡ部の一部断面拡大図である。
【００１２】
（全体構成）
両面発光装置１は、導光板２の一端縁部２１に、モジュール３が取り付けられて、構成されている。この例では、モジュール３の長さＬ１が端縁部２１の長さＳ１と同じである。
【００１３】
（導光板２）
導光板２は、平面視矩形の板であり、４つの端面２Ａ、２Ｂ、２Ｃ、２Ｄと、これらの端面に対して直交している２つの面２Ｘ、２Ｗと、を有している。導光板２は、樹脂を主成分としてできている。樹脂としては、例えば、（メタ）アクリル樹脂、ポリスチレン樹脂、ポリオレフィン樹脂、ポリカーボネート樹脂、ポリ塩化ビニル樹脂、及び（メタ）アクリル酸エステル−スチレン樹脂からなる群から選択される、少なくとも１種が好ましく、特に（メタ）アクリル樹脂が好ましい。これらの樹脂は、２種以上を混合して使用してもよく、又は、２種以上を積層するように使用してもよい。なお、本明細書において、「（メタ）アクリル」という用語は、「メタクリル」又は「アクリル」を意味する。導光板２の厚さは、通常は１〜１５ｍｍであり、好ましくは１．５〜８ｍｍであり、より好ましくは２〜６ｍｍである。導光板２は、薄すぎる場合には、光源からの光が導光板２の端面に入射しにくくなることがあり、厚すぎる場合には、発光効率が不十分となることがあり、また、両面発光装置全体の重量が重くなるので、薄すぎても厚すぎても好ましくない。
【００１４】
（モジュール３）
図７は、モジュール３の斜視図である。図８は、モジュール３の正面図である。図９は、モジュール３の側面図である。モジュール３は、ベース面部３１と、第１支持面部３２及び第２支持面部３３と、光源部３４と、固定機構３５と、を有している。
【００１５】
第１支持面部３２及び第２支持面部３３は、特に図６に示されるように、導光板２の１つの端縁部２１を上下の両面側から挟むことができるように、対向して設けられている。具体的には、図９に示されるように、第１支持面部３２は、立設状態のベース面部３１の上縁から横方向に延在しており、第２支持面部３３は、ベース面部３１の下縁から第１支持面部３２と同じ横方向に延在しており、両者は、平行であり且つ対向している。第１支持面部３２と第２支持面部３３との対向間隔は、先端部側の間隔Ｔ１が基端部側の間隔Ｔ２より少し小さくなっている。間隔Ｔ１は、導光板２の厚さと同じ又は少し大きく、設定されている。
【００１６】
ベース面部３１は、前述したように、立設状態で設けられている。具体的には、第１支持面部３２及び第２支持面部３３は、ベース面部３１に対して直角方向に延びている。ベース面部３１は、図６に示されるように、導光板２の端縁部２１が第１支持面部３２と第２支持面部３３との間で固定された時に、端縁部２１の端面２Ａに対向するように、設けられている。
【００１７】
光源部３４は、基板３４１と、複数の光源３４２と、数個のスペーサ３４３と、を備えている。光源３４２としては、具体的には、ＬＥＤが用いられている。光源３４２は、基板３４１の表面３４１１に、長手方向に等間隔に、配置されて、固定されている。スペーサ３４３は、基板３４１の表面３４１１の、長手方向中央付近と長手方向両端部付近とに、配置されている。スペーサ３４３は、光源３４２よりも、基板３４１の表面３４１１から突出しており、導光板２の端縁部２１が第１支持面部３２と第２支持面部３３との間で固定された時に、端面２Ａに当接することによって、端面２Ａが光源３４２に直接に当接するのを防止している。そして、光源部３４は、ベース面部３１の表面３１１に対して、基板３４１の裏面３４１２が接着剤等によって接合されることにより、ベース面部３１に固定されている。なお、光源部３４は、図６に示されるように、光源３４１の中心Ｃ１を通る中心線Ｃが、第１支持面部３２と第２支持面部３３との間で固定された導光板２の、端面２Ａの厚さ方向の中心Ｃ２を、通るように、ベース面部３１に固定されている。
【００１８】
また、光源部３４においては、防水加工として、基板３４１の表面３４１１と、光源３４２の表面とが、透明フッ素系樹脂によってコーティングされている。この透明フッ素系樹脂は、無色である。コーティングの厚さは、具体的には、数十μｍ〜１ｍｍ程度である。透明フッ素系樹脂としては、具体的には、株式会社フロロテクノロジーの、商品名「フロロサーフ」及び商品番号「ＦＧ−３０３０Ｃ−３０」を、好ましく使用できる。このような防水加工により、モジュール３及び両面発光装置１は、屋外で好適に使用することができる。
【００１９】
固定機構３５は、第１支持面部３２と第２支持面部３３との間に位置した導光板２の端縁部２１を、第１支持面部３２及び第２支持面部３３に着脱自在に固定するよう、機能する。具体的には、図６に示されるように、第１支持面部３２と導光板２の端縁部２１と第２支持面部３３とを貫通するビス３５１で構成されている。この場合、ビス３５１を貫通させるために、第１支持面部３２には貫通孔３２１が形成されており、導光板２の端縁部２１には、貫通孔２１１が形成されており、第２支持面部３３には貫通孔３３１が形成されている。ビス３５１は、図５に示されるように、モジュール３の長手方向の両端部付近の２カ所に、設けられている。この固定機構３５によれば、ビス３５１を貫通孔３２１、２１１、３３１に通して締め付けることにより、導光板２の端縁部２１を第１支持面部３２及び第２支持面部３３に固定することができ、ビス３５１を緩めて貫通孔３２１、２１１、３３１から抜き出すことにより、導光板２の端縁部２１を第１支持面部３２及び第２支持面部３３から取り外すことができる。すなわち、固定機構３５により、導光板２はモジュール３に対して着脱自在となっている。
【００２０】
また、ベース面部３１の裏面側には、図９に示されるように、第１支持面部３２の延在部３２０と第２支持面部３３の延在部３３０とが、形成されている。そして、図３に示されるように、延在部３２０と延在部３３０との間には、光源３４２に電力を供給するための電源線３６１が収容されている。電源線３６１は、モジュール３の長手方向中央付近でベース面部３１を貫通して光源３４２に接続されており、その貫通部分は、電源カバー３６２で覆われている。
【００２１】
なお、第１支持面部３１及びその延在部３２０の、表面と、第２支持面部３３及び延在部３３０の、表面と、に形成された、長手方向に延びた多数のリブ３７は、モジュール３の強度を向上でき、また、放熱効果を向上できる。
【００２２】
（組み立て）
まず、導光板２とモジュール３とを用意する。次に、導光板２の端縁部２１を、モジュール３の第１支持面部３２と第２支持面部３３との間に、挿し込み、スペーサ３４３に当接させる。そして、ビス３５１を、貫通孔３２１、２１１、３３１に通して、締め付ける。これにより、両面発光装置１が構成される。
【００２３】
（作動）
電源（図示せず）がオンされると、電源線３６１を通して光源３４２に電力が供給され、光源３４２が点灯する。光源３４２が点灯すると、光源３４２からの光が端面２Ａに入射する。端面２Ａに入射して光は、導光板２内を反射しながら進み、両面２Ｘ、２Ｗから出射する。これにより、両面２Ｘ、２Ｗから発光が行われ、すなわち、両面発光が行われる。
【００２４】
なお、光源３４２の表面には、防水のための透明フッ素系樹脂がコーティングされているが、この透明フッ素系樹脂は、光源３４２から出射される光の光量を減じない。よって、光源３４２から端面２Ａへ入射する光の光量は、十分に確保され、したがって、両面２Ｘ、２Ｗからの発光の光量が、十分に確保される。また、この透明フッ素系樹脂は、光源３４２から出射される光が青色光となるのを抑制できる。よって、光源３４２から端面２Ａへ入射する光が青色光となるのを抑制でき、したがって、両面２Ｘ、２Ｗからの発光が青色光となるのを抑制できる。
【００２５】
（効果）
（１）前記構成のモジュール３を用いると、モジュール３を導光板２の端縁部２１に取り付けて固定するだけで、両面発光装置１を構成できる。よって、非常に簡単に両面発光装置１を構成でき、したがって、両面発光装置１の生産性を向上できる。
（２）前記構成のモジュール３においては、光源部３４の防水加工がフッ素系樹脂のコーティングによって実現されており、このコーティングは、刷毛塗りで行うことができる。よって、非常に簡単に、モジュール３の防水加工を行うことができ、したがって、モジュール３の生産性を向上でき、ひいては、両面発光装置１の生産性を向上できる。
（３）前記構成のモジュール３は、ベース面部３１と、第１支持面部３２及び第２支持面部３３と、光源部３４と、固定機構３５とで、構成されているので、簡素な構成で実現できる。
【００２６】
（４）例えば、長さ寸法が異なる複数種のモジュールを予め製作しておくと、種々の大きさの導光板２を容易に用いて両面発光装置１を製作できる。例えば、図１０に示されるように、前記構成のモジュール３の半分の長さＬ２（すなわちＬ１の半分）のモジュール３Ａを製作しておくと、図１０（Ａ）に示されるように、寸法Ｌ１の一辺を有する大きさの導光板２を用いて両面発光装置１を製作できるとともに、図１０（Ｂ）に示されるように、寸法Ｌ２の一辺を有する大きさの導光板２を用いて両面発光装置１を製作でき、更には、図１０（Ｃ）に示されるように、寸法“Ｌ１＋Ｌ２”の一辺を有する大きさの導光板２を用いて両面発光装置１を製作でき、更には、図１０（Ｄ）に示されるように、寸法“Ｌ１＋Ｌ１”の一辺を有する大きさの導光板２を用いて両面発光装置１を製作できる。すなわち、図１０の場合には、寸法Ｌ２の倍数の一辺を有する大きさの導光板２を容易に用いて両面発光装置１を製作できる。したがって、前記構成のモジュール３によれば、導光板２の寸法が夫々異なっている両面発光装置１を、生産性良くすなわち低コストで得ることができる。
【００２７】
なお、予め用意するモジュール３の長さ寸法の種類を、３種類以上にすれば、更に多種類の大きさの両面発光装置１を生産性良く得ることができる。
【００２８】
（５）前記構成の両面発光装置１は、導光板２とモジュール３とで構成されているので、構成が簡素であり、それ故、取り扱い性に優れている。
（６）前記構成の両面発光装置１は、種々の大きさを実現できるので、種々の場所に使用できる。
【００２９】
（変形例）
（１）固定機構３５として、図１１に示される機構を採用してもよい。図１１においては、第１支持面部３２を貫通するネジ部材３５２を締め付けることによって、導光板２の端縁部２１を第２支持面部３３に押し付けている。これにより、導光板２の端縁部２１をモジュール３に固定できる。一方、ネジ部材３５２を緩めれば、導光板２をモジュール３から取り外すことができる。よって、図１１の固定機構によっても、導光板２の端縁部２１を、第１支持面部３２及び第２支持面部３３に着脱自在に固定できる。
【００３０】
（２）固定機構３５として、図１２に示される機構を採用してもよい。図１２においては、第１支持面部３２の貫通孔３２２と第２支持面部３３の貫通孔３３２とに、接着剤３５３を充填することによって、第１支持面部３２と端縁部２１とを接合するとともに第２支持面部３３と端縁部２１とを接合している。これにより、導光板２の端縁部２１をモジュール３に固定できる。一方、充填した接着剤３５３を溶剤で溶かせば、導光板２をモジュール３から取り外すことができる。よって、図１２の固定機構によっても、導光板２の端縁部２１を、第１支持面部３２及び第２支持面部３３に着脱自在に固定できる。
【００３１】
（３）モジュール３は、導光板２の短辺の端縁部ではなく、長辺の端縁部に、取り付けてもよい。
【産業上の利用可能性】
【００３２】
本発明のモジュールは、導光板の一端縁部に取り付けて固定するだけで、両面発光装置を構成できるので、産業上の利用価値が大である。
【符号の説明】
【００３３】
１  両面発光装置  ２  導光板  ２Ａ  端面  ２１  端縁部  ３  モジュール
３１  ベース面部  ３２  第１支持面部  ３３  第２支持面部  ３４  光源部
３４１  基板  ３４１１  表面  ３４２  光源  ３５  固定機構  ３５１  ビス
３５２  ネジ部材  ３５３  接着剤
【図１】
2015109141.tif 000003
【図２】
2015109141.tif 000004
【図３】
2015109141.tif 000005
【図４】
2015109141.tif 000006
【図５】
2015109141.tif 000007
【図６】
2015109141.tif 000008
【図７】
2015109141.tif 000009
【図８】
2015109141.tif 000010
【図９】
2015109141.tif 000011
【図１０】
2015109141.tif 000012
【図１１】
2015109141.tif 000013
【図１２】
2015109141.tif 000014